(57)【特許請求の範囲】
【請求項１】
陽極ガス入口と、陽極ガス出口と、陰極ガス入口と、陰極ガス出口と、電力出口と、廃熱出口と、冷却媒体入口と、を有する燃料電池と、
前記陽極ガス入口と前記陽極ガス出口との間を繋ぎ、前記陽極ガス入口に接続された陽極ガス供給源を有する陽極ガス循環システムと、
前記陰極ガス入口に接続された陰極ガス供給システムと、
前記廃熱出口と前記冷却媒体入口との間を接続する廃熱再循環及び冷却システムであって、熱水を出す前記廃熱出口に接続された水タンクと、前記熱水を脱イオン化する濾過装置と、前記陽極ガス供給源と熱伝導連通のある熱交換器と、前記水タンクと前記熱交換器との間に配置されたポンプと、を有する廃熱再循環及び冷却システムと、を備え、
前記陽極ガス出口から放出され、前記陽極ガス循環システムを循環する余剰水素は、前記水タンクから供給される熱水により加湿される、
ことを特徴とする燃料電池用発電システム。
【請求項２】
前記熱交換器が、前記陽極ガス供給源を囲む複数の水経路を含み、熱水がその水経路を通り前記陽極ガス供給源を囲んで流れることが出来るよう、その水経路が前記水タンクと流体連通している、請求項１に記載の燃料電池用発電システム。
【請求項３】
前記陽極ガス供給源が、金属水素化物で充填された、請求項１又は２に記載の燃料電池用発電システム。
【請求項４】
前記熱交換器を出る水の温度低下を促進するため、前記熱交換器と前記燃料電池の前記冷却媒体入口との間に設けられたラジエータを更に含む、請求項１、２又は３に記載の燃料電池用発電システム。
【請求項５】
熱水を出す前記廃熱出口に接続された水タンクと、
前記陽極ガス供給源と熱伝導連通する熱交換器と、
前記水タンクと前記熱交換器との間に配置されたポンプと、
前記熱水を脱イオン化する濾過装置と、を含み、
前記水タンクの熱水は、前記熱交換器の過熱、及び前記陽極ガス供給源から放出される水素の加湿に用いられる、
ことを特徴とする、請求項１に記載の燃料電池用発電システムに用いるための廃熱再循環冷却システム。
【請求項６】
前記熱交換器が、前記陽極ガス供給源を囲む複数の水経路を含み、熱水がその水経路を通り前記陽極ガス供給源を囲んで流れることが出来るよう、その水経路が前記水タンクと流体連通している、請求項５に記載の廃熱再循環冷却システム。
【請求項７】
前記陽極ガス供給源が、金属水素化物で充填された、請求項５又は６に記載の廃熱再循環冷却システム。
【請求項８】
前記熱交換器を出る水の温度低下を促進するため、前記熱交換器と前記燃料電池の前記冷却媒体入口との間に設けられたラジエータをさらに含む、請求項５、６又は７に記載の廃熱再循環冷却システム。
【発明の詳細な説明】
【０００１】
【発明の属する技術分野】
本発明は、燃料電池用発電システムに関し、特にプロトン交換膜燃料電池に使用される発電システム内の廃熱再循環システムに関する。本再循環システムは、既存燃料電池から発生する廃熱を、燃料電池が必要とする電気エネルギー節約のため効率的に利用して、システム全体の発電効率を高めるものである。
【０００２】
【従来の技術】
文明の急速な発達に伴って、石炭、石油及び天然ガスなど既存エネルギー資源の消費量が急速に増大する。これは地球環境におびただしい汚染をもたらし、地球温暖化や酸性雨などの各種の環境問題を生じる。現在のエネルギー消費率がこのまま続くと、既存天然エネルギー資源すべてが近い将来枯渇するであろうと、今では認識されている。そこで、多くの先進国が、新規代替エネルギー資源の研究開発に熱心に取り組んでいる。燃料電池は、最も重要で価格の適正なエネルギー資源の一つである。燃料電池は、既存内燃機関に比較して、エネルギー変換効率が高い、排気がクリーン、騒音が低い、既存ガソリンの消費が無いなど、多くの利点を有している。
【０００３】
簡単に言うと、燃料電池は水素と酸素の電気化学反応を動力源とする電力発生装置である。基本的に、この反応は水の電気分解の電気化学反応であって、化学エネルギーを電気エネルギーに変換する。燃料電池の基本構造は、例えば、複数の電池ユニットを含むプロトン交換膜燃料電池である。各電池ユニットは、中央にプロトン交換膜（ＰＥＭ）を含み、その両側に触媒層が設けられている。そして、２個の触媒の外側それぞれには、更にガス拡散層（ＧＤＬ）が設けられている。また、ＧＤＬに隣接する最外側には更に陽極板と陰極板が設けられている。上記要素すべてを一つにまとめて、電池ユニットが形成される。燃料電池実用化のためには、複数の上記電池ユニットを積み重ねて直列に接続し、十分な電力を得る。したがって、隣接する２個の電池ユニットは、２個の電池ユニットそれぞれの陽極及び陰極として働く共通の電極板を共有することができる。そこで、このような電極板を、通常は、双極板と呼ぶ。一般的に、双極板の両側には、水素及び空気（酸素供給用）などの反応用ガスを運ぶと同時に、水滴又は水蒸気などの反応生成物を双極板の外に運び出すため多数の溝が設けられている。
【０００４】
燃料電池に使用されるガス供給システムの一つは、図１に示すように、（酸素供給源などの）陰極ガス供給システムと、（水素循環システムなどの）陽極循環システムを含む。大気は酸素供給システム３０の供給源として作用する。ここでは、フィルタ３２を用いて空気を濾過し、次いでブロワ３４を通して燃料電池内に送り込む。燃料電池５０内部での反応に際し、余剰空気は復水器３６の中に放出される。水回復器３６は、放出空気に含まれる微量の水を回収し、その水は燃料電池反応生成物の熱水とともに放出される。熱水の一部はラジエータを通って燃料電池５０の中に再び入り、燃料電池５０が発生する熱を減少させるための冷却システムを構成する。
【０００５】
陽極循環システムには、圧力レギュレータ４２を通して水素流入量を調節する水素供給源４０、燃料電池内反応の際の余剰水素排出のため、及び燃料電池５０への水素供給源４０吸入のため、燃料電池５０の他端に設けられた水素ポンプ４４が含まれる。余剰水素は加湿器４６を通して放出され、次いで水素供給源の配管に流れ戻り、新鮮水素と混合されて、同一の循環を繰り返す。
【０００６】
【発明が解決しようとする課題】
陽極ガス（水素）貯蔵用の公知の装置の一つは、加圧水素を満たした水素容器を代用することである。このとき外部弁と水素ポンプ４４が共同して水素を放出し、これが陽極ガス循環システムに供給される。しかし、このような水素解放設計は、通常、水素が定圧且つ定流量で供給されることを保証しないので、それにより無駄を生じ、発電効率を低下させる。
【０００７】
このようなことから、追加部品を必要とせずに、水素を定圧且つ定量で供給する能力のある安定的な水素供給システムが求められている。
【０００８】
【課題を解決するための手段】
本発明の主要技術内容は、陽極ガス供給源に満たされた所謂る金属水素化物を使用することである。金属水素化物は経験した温度に相当する圧力で水素を放出することが出来る。水素放出過程は吸熱反応である。金属水素化物内に貯蔵された水素が完全に消費されたとき、純粋水素を金属水素化物に再充填し直すことが出来る。水素充填過程は発熱反応である。金属水素化物が経験する温度は水素圧力に正比例する。この正比例関係は、異なる製造者が供給する金属水素化物の間で変動することがある。したがって、この型の陽極ガス供給源を使う間、電気化学反応が必要とする陽極ガスを放出させるため、陽極ガス供給源に熱エネルギーを与えなければならない。
【０００９】
言い換えると、本発明は、金属水素化物が必要とする熱源として、燃料電池が発生する廃熱を利用する。つまり、陽極ガス供給源の陽極ガスを放出させるため、燃料電池の電気化学反応の副産物である熱水を利用する。熱水が冷却された後、冷却媒体を燃料電池に戻して燃料電池の温度を低下させ、それにより廃熱再循環をおこなわせる。このような構成は、元の冷却システムの基本構造を変えないで、陽極ガス供給に必要な熱源を与える。
【００１０】
このように、本発明の主目的は、陽極ガス供給源の陽極ガス放出用熱源として、燃料電池電気化学反応の副産物である熱を利用し、それにより自己充足熱エネルギー供給システムを構築して、製造コストを低減し、燃料電池が消費する電力使用をなくし、システム全体の効率を増加することである。
【００１１】
本発明の追加目的は、自己充足熱エネルギー供給システムを燃料電池の冷却システムと合同させ、金属水素化物技術を効果的に実行して、熱エネルギーを全く喪失せず追加装置を必要としない廃熱再循環冷却システムを構築することである。
【００１２】
本発明の構造及び特徴は、添付図面及び好適実施態様の説明を参照して、理解することが出来る。
【００１３】
【発明の実施の形態】
図２に示すように、廃熱再循環冷却システム１６０は、陽極ガス（水素）供給源１２２として金属水素化物を使用する燃料電池発電システム（燃料電池）１５０と共に主として使用するためのものである。燃料電池発電システム１５０は、水素供給源１２２に接続された陽極ガス入口１５２を有する燃料電池５０、大気に接続された陰極ガス入口、電力出口１５６、廃熱入口１５４、及び冷却媒体入口１５９を含む。廃熱再循環冷却システム１６０は、燃料電池１５０が発生した廃熱を反応後利用して水タンク１６２の中の水を加熱するため廃熱出口１５８に接続された水タンク１６２、陽極ガス供給源（水素供給源）１２２を覆いそれと熱連通する熱交換器１６４、及び熱水を熱交換器１６４に送るため水タンク１６２と熱交換器１６４との間に設けられたポンプ１６３を含む。それにより熱水の熱エネルギーを利用して陽極ガスを定圧で解放するため陽極ガス供給源内の金属水素化物を加熱する。熱エネルギーを放出し終えた水は燃料電池５０に送り戻されて燃料電池５０の温度を低下させ、それにより燃料電池５０を効果的な反応のため低い運転温度に保つ。
【００１４】
本発明の実施態様によれば、燃料電池５０中での反応時の余剰空気は、陰極ガス出口１５５を通って水回復器３６の中に放出される。水回復器３６は、排出空気中に含まれる微量の水を回収し、次いでその水を水タンク１６２に導く。燃料電池５０中での反応時の余剰水素は、水素ポンプ４４を用いて陽極ガス出口１５３を通って加湿器４６に送られ、余剰水素に加湿する。脱湿余剰水素は、次いで水素供給配管中に戻されて、新鮮水素と混合され、同一循環を繰り返す。
【００１５】
図３は、本発明に使用するための熱交換器１６４と水タンク１６２を示す。この実施態様において、熱交換器１６４は、水素供給源１２２を囲んで流れる複数の水路１６４２を含む。水路１６４２は、熱水が水路１６４２を通って水素供給源１２２を囲んで流れるよう水タンク１６２と流体連通している。
【００１６】
図３に示すように、熱水は水タンク１６２の下端にある水出口１６６から水タンク１６２を出て、熱交換器１６４の下端に作られた複数の水入口１６７を通って水路１６４２の中に送り込まれ、次いで板１２８の下端にある複数の水出口１６８を通って水路１６４を出る。水素供給源１２２を囲んで熱水を流すことにより、熱水の熱エネルギーが水素供給源１２２に伝導される。
【００１７】
前に述べたように、水素供給源１２２からの水素解放過程は、吸熱反応である。したがって、熱水の熱エネルギーは、吸熱反応に必要な目的に正しく役立つので、水素供給源内の金属水素化物は選ばれた温度とそれに相当する圧力で水素を放出する。電子的制御回路、温度センサ又はその他の既存手段を用いて、所定の温度を保つよう加熱装置を制御することができる。
【００１８】
熱交換器１６４を出る水の温度をさらに下げ、熱水を冷却媒体に変換して燃料電池１５９用の冷却手段として作用させるため、熱交換器１６４と燃料電池１５０の冷却媒体入口１５９との間にラジエータ１７０を追加して設けることができる。
【００１９】
さらに、本発明の好適実施態様においては、熱水の一部を、熱交換器１６４に入る前に、余剰水素を加湿するため加湿器４６に導く一方、熱水の一部は脱イオン濾過装置（示さず）に導いて純水の副循環を作り、それにより燃料電池５０を汚染することなく冷却循環全体を最適化している。
【００２０】
したがって、本発明の廃熱再循環冷却システム１６０をプロトン交換膜燃料電池に実施する間、燃料電池５０から発生した廃熱が水素供給源内に貯蔵された水素の放出に利用される一方、燃料電池の電気化学反応の副産物である熱水を、燃料電池に必要な冷却媒体に変換して、燃料電池発電システム１５０が必要とする電気エネルギーを低減し、システム全体の発電効率が増加する。
【００２１】
本発明は、既存技術に突破口を作る新規創作に関わる。しかし、上記説明は本発明に従う好適実施態様の記述を目的とする。当業者は、本発明の技術概念を逸脱することなく、各種変更と実現方法を行うことが出来る。本発明は、好適実施態様との関連で記述した特定詳細事項に限定されるものではないので、本発明の全体的基本機能を変更することなく好適実施態様の特徴に加えられた変更は、特許請求の範囲の請求項の範囲内であると考える。
【図面の簡単な説明】
【図１】  既存燃料電池のガス供給源を示す構成図である。
【図２】  本発明の廃熱再循環冷却システムの好適実施態様を含む燃料電池を示す構成図である。
【図３】  本発明に用いるための熱交換器及び水タンクを示す。
【符号の説明】
３０  酸素供給システム
３２  フィルタ
３４  ブロワ
３６  水回復器
４０  水素供給源
４２  圧力レギュレータ
４４  水素ポンプ
４６  加湿器
５０  燃料電池
１２２  水素供給源
１５０  燃料電池発電システム
１５２  陽極ガス入口
１５３  陽極ガス出口
１５４  陰極ガス入口
１５５  陰極ガス出口
１５６  電力出口
１５８  廃熱出口
１５９  冷却媒体入口
１６０  廃熱再循環システム
１６２  水タンク
１６４  熱交換器
１６６  水タンクの水出口
１６７  熱交換器の水入口
１６８    熱交換器の水出口
１７０  ラジエータ
１６４２  熱交換器の水経路
【図１】
0003823181.tif 000002
【図２】
0003823181.tif 000003
【図３】
0003823181.tif 000004